(57)【要約】【課題】ＴＶ画像の上に文字等を表示するオンスクリーンディスプレイにおいて、簡易な構成で多様な色を表示する。【解決手段】携帯電話機１において、ＴＶアンテナ１０で受信したＴＶ映像信号をＬＣＤパネル２０に表示する。ＬＳＩ処理チップ１６のＯＳＤ処理部１６ｂはカラーテーブルを２個備え、それぞれが１６色の色を出力する。ＴＶ画面上に表示される文字の色を指定するとともに２個のカラーテーブルのいずれかを選択することで、合計３２色を表示する。【選択図】図１
2005077629.tif 000002
【特許請求の範囲】
【請求項１】
表示装置に画像を表示するための画像信号処理回路であって、
前記画像の色をｎビット信号で指定する色指定部と、
前記色指定部から出力されたｎビット信号に応じてＲ、Ｇ、Ｂ各信号を出力することでそれぞれ２n色を出力するｍ個（ｍ≧２の自然数）のカラーテーブル部と、
前記ｍ個のカラーテーブル部のいずれかを選択する選択部と、
を有し、ｎビットの指定で２n×ｍ色を出力することを特徴とする画像信号処理回路。
【請求項２】
請求項１記載の回路において、
前記画像は文字であり、
前記色指定部は、所定サイズの文字表示領域における文字部分と文字以外部分それぞれにおける色を前記ｎビット信号で指定し、
前記カラーテーブル部は、前記文字部分と文字以外部分それぞれにおける色を前記ｎビット信号に応じて出力し、
前記選択部は、前記所定サイズの文字表示領域毎に前記ｍ個のカラーテーブル部のいずれかを選択する
ことを特徴とする画像信号処理回路。
【請求項３】
請求項１記載の回路において、
前記画像はパターンであり、
前記色指定部は、前記パターンの色を前記ｎビット信号で指定し、
前記カラーテーブル部は、前記パターンの色を前記ｎビット信号に応じて出力し、
前記選択部は、前記所定サイズの文字表示領域毎に前記ｍ個のカラーテーブル部のいずれかを選択する
ことを特徴とする画像信号処理回路。
【請求項４】
請求項１記載の回路において、
前記画像は背景画像であり、
前記色指定部は、前記背景画像の色を前記ｎビット信号で指定し、
前記カラーテーブル部は、前記パターンの色を前記ｎビット信号に応じて出力する
ことを特徴とする画像信号処理回路。
【請求項５】
請求項１記載の回路において、
前記画像はＴＶ画像に重畳表示される文字あるいはパターンであり、
前記色指定部は、前記文字あるいはパターンの色を前記ｎビット信号で指定し、
前記カラーテーブル部は、前記文字あるいはパターンの色を前記ｎビット信号に応じて出力する
ことを特徴とする画像信号処理回路。
【請求項６】
請求項１〜５のいずれかに記載の回路において、
前記ｎビットは４ビットであり、
前記カラーテーブル部はそれぞれ前記４ビット信号に応じて１６色を出力することで１６×ｍ色を出力する
ことを特徴とする画像信号処理回路。
【請求項７】
ＴＶアンテナ部と、
前記ＴＶアンテナ部からのＴＶ映像信号を処理するＴＶ映像信号処理部と、
前記ＴＶ映像信号処理部からの信号に応じてＴＶ画像を表示する表示部と、
を備える携帯端末装置であって、
前記ＴＶ画像に重畳して文字あるいはパターンを表示する画像処理部
を有し、前記画像処理部は、
前記文字あるいはパターンあるいはその背景の色をｎビット信号で指定する色指定部と、
前記色指定部から出力されたｎビット信号に応じてＲ、Ｇ、Ｂ各信号を出力することでそれぞれ２n色を出力するｍ個（ｍ≧２の自然数）のカラーテーブル部と、
前記ｍ個のカラーテーブル部のいずれかを選択する選択部と、
を有することを特徴とする携帯端末装置。
【発明の詳細な説明】
【技術分野】
【０００１】
本発明は画像信号処理回路及び携帯端末装置に関し、特に画面上に文字あるいはパターン等を表示する際の色制御に関する。
【背景技術】
【０００２】
近年、携帯電話機等の携帯端末装置にＴＶ画像を表示させる機能が付加されており、さらにＴＶ画面上に文字あるいはパターン等を表示させる、いわゆるオンスクリーンディスプレイ（ＯＳＤ）も開発されている。
【０００３】
文字を表示させる場合、例えば液晶パネル（ＬＣＤパネル）がＧＶＧＡ（４８０×２３４）の解像度を有する場合、１２ドット×１８ドットで１文字を構成し、４０文字×１３行にわたって文字を表示させる。文字の色はＶＲＡＭ及びカラーテーブルを用いて設定する。例えば、文字の色をＶＲＡＭからの４ビットデータにより１６色の中から指定する。
この４ビットデータはカラーテーブルのアドレスを指定するデータとなる。カラーテーブルにはアドレス毎にＲ信号、Ｇ信号、Ｂ信号の信号データ値が予め書き込まれて設定されており、例えばアドレス「００００」ではＲ信号ＸＸＸ、Ｇ信号ＹＹＹ、Ｂ信号ＺＺＺの如くである。Ｒ信号、Ｇ信号、Ｂ信号それぞれを３ビットで表現するとＲ信号８段階、Ｇ信号８段階、Ｇ信号８段階の合計５１２色が可能であり、カラーテーブルは４ビット１６個のアドレスそれぞれにこれらの色データを割り当て、５１２色の中から１６色を出力する。
【０００４】
図７には、カラーテーブルを用いた色生成回路の概念構成図が示されている。色指定用のＶＲＡＭ５０からの４ビット信号（４ビットデータ）はカラーテーブル５２のアドレスデータとして与えられる。カラーテーブル５２はフリップフロップ（ＦＦ）等で構成され、００００〜１１１１の１６個のアドレス毎にＲ信号、Ｇ信号、Ｂ信号値を規定する。４ビット信号で与えられるアドレスに対応するＲ信号、Ｇ信号、Ｂ信号が出力され、表示すべき文字の色が１６色の中から決定される。
【０００５】
下記に示す従来技術には、ＴＶ映像信号を受信して視聴できる携帯電話が開示されている。
【０００６】
【特許文献１】特開２００３−１１１００４号公報
【発明の開示】
【発明が解決しようとする課題】
【０００７】
しかしながら、携帯電話機等の携帯端末装置を使用するユーザの要求は一層多様化しており、特に画面表示を自身でカスタマイズする要求は大きく、文字あるいはパターンの色、あるいは文字やパターンの背景となる背景色をカラフルあるいは独自色に設定したいと欲する場合も少なくなく、１６色ではユーザの多様な要求に応えるには限界がある。
【０００８】
もちろん、図７の構成においても、色指定用ＶＲＡＭ５０により５ビット信号（５ビットデータ）でアドレスを指定し、カラーテーブル５２において０００００〜１１１１１の３２個のアドレスでＲ信号、Ｇ信号、Ｂ信号を設定できるように拡張することで３２色に色数を増大することが可能であるが、その分だけ構成が複雑化する。
【０００９】
本発明の目的は、簡易な構成で画像の色数を増大させることができる回路及び装置を提供することにある。
【課題を解決するための手段】
【００１０】
本発明は、表示装置に画像を表示するための画像信号処理回路であって、前記画像の色をｎビット信号で指定する色指定部と、前記色指定部から出力されたｎビット信号に応じてＲ、Ｇ、Ｂ各信号を出力することでそれぞれ２n色を出力するｍ個（ｍ≧２の自然数）のカラーテーブル部と、前記ｍ個のカラーテーブル部のいずれかを選択する選択部とを有し、ｎビットの指定で２n×ｍ色を出力する。
【００１１】
このように、本発明では複数のカラーテーブル部を備え、複数のカラーテーブル部を選択することで画像表現色を多様化する。
【００１２】
本発明において、前記画像は文字であり、前記色指定部は、所定サイズの文字表示領域における文字部分と文字以外部分それぞれにおける色を前記ｎビット信号で指定し、前記カラーテーブル部は、前記文字部分と文字以外部分それぞれにおける色を前記ｎビット信号に応じて出力し、前記選択部は、前記所定サイズの文字表示領域毎に前記ｍ個のカラーテーブル部のいずれかを選択してもよい。
【００１３】
また、本発明において、前記画像はパターンであり、前記色指定部は、前記パターンの色を前記ｎビット信号で指定し、前記カラーテーブル部は、前記パターンの色を前記ｎビット信号に応じて出力し、前記選択部は、前記所定サイズの文字表示領域毎に前記ｍ個のカラーテーブル部のいずれかを選択してもよい。
【００１４】
また、本発明において、前記画像は背景画像であり、前記色指定部は、前記背景画像の色を前記ｎビット信号で指定し、前記カラーテーブル部は、前記パターンの色を前記ｎビット信号に応じて出力してもよい。
【００１５】
また、本発明において、前記画像はＴＶ画像に重畳表示される文字あるいはパターンであり、前記色指定部は、前記文字あるいはパターンの色を前記ｎビット信号で指定し、前記カラーテーブル部は、前記文字あるいはパターンの色を前記ｎビット信号に応じて出力してもよい。
【００１６】
また、本発明の携帯端末装置は、ＴＶアンテナ部と、前記ＴＶアンテナ部からのＴＶ映像信号を処理するＴＶ映像信号処理部と、前記ＴＶ映像信号処理部からの信号に応じてＴＶ画像を表示する表示部とを備える携帯端末装置であって、前記ＴＶ画像に重畳して文字あるいはパターンを表示する画像処理部を有し、前記画像処理部は、前記文字あるいはパターンあるいはその背景の色をｎビット信号で指定する色指定部と、前記色指定部から出力されたｎビット信号に応じてＲ、Ｇ、Ｂ各信号を出力することでそれぞれ２n色を出力するｍ個（ｍ≧２の自然数）のカラーテーブル部と、前記ｍ個のカラーテーブル部のいずれかを選択する選択部とを有する。
【００１７】
ＴＶ画像に重畳して文字あるいはパターンを表示するＯＳＤにおいて、文字やパターンの色を複数のカラーテーブルで設定することで、単一のカラーテーブルの場合に比べて多様な色で表示できる。
【発明を実施するための最良の形態】
【００１８】
以下、図面に基づき本発明の実施形態について、携帯電話機を例にとり説明する。
【００１９】
図１には、ＴＶ映像を表示できる携帯電話機の全体構成が示されている。携帯電話機１は、携帯電話部５の他、ＴＶアンテナ１０、ＴＶ映像信号を受信するチューナモジュール１２、チューナモジュール１２にて受信したＴＶ映像信号からＲ信号、Ｇ信号、Ｂ信号を分離抽出するＲ、Ｇ、Ｂデコーダ１４、ＬＳＩ処理チップ１６、表示装置としての液晶パネル（ＬＣＤパネル）２０、及びＬＣＤパネル２０にＴＶ映像信号を供給するＬＣＤコントローラ（ＬＣＤドライバ）１８を含んで構成される。ＬＳＩ処理チップ１６は、Ｒ、Ｇ、Ｂ各信号をアナログデジタルコンバータにてデジタル信号に変換して各種処理を行いメモリに記憶するＴＶ映像処理部１６ａと、ＴＶ画面上に文字あるいはパターンを表示するＯＳＤ処理部１６ｂを有する。また、ＬＣＤパネル２０は、例えばＱＶＧＡ（４８０×２３４）の解像度を有する。
【００２０】
ＬＳＩ処理チップ１６のＴＶ映像処理部１６ａには、１つあるいは２つのＲＡＭが設けられ、ＴＶ映像信号データを構成する各フィールドデータを記憶するフィールドメモリとして機能する。ＴＶ映像処理部１６ａのＲＡＭに記憶され、読み出されたＴＶ映像信号データはＬＣＤコントローラ１８のＲＡＭに一旦記憶され、ＬＣＤパネル２０に供給される。
【００２１】
一方、ＬＳＩ処理チップ１６のＯＳＤ処理部１６ｂには、ＶＲＡＭやＦＲＯＭ、色信号を出力するカラーテーブルを有する出力制御回路が設けられる。出力制御回路からの色信号はＬＣＤコントローラ１８に供給され、さらにＬＣＤパネル２０に供給される。ＴＶ画面上に文字あるいはパターンを重畳表示する際には、ＬＣＤコントローラ１８で両信号が合成されてＬＣＤパネル２０に供給される。
【００２２】
図２には、ＯＳＤ処理部１６ｂの構成ブロック図が示されている。Ｈ（水平）方向カウンタ１６ｂ−２及びＶ（垂直）方向カウンタ１６ｂ−４が設けられ、これらのカウンタにはそれぞれＨＳＹＮＣ（水平同期信号）及びＶＳＹＮＣ（垂直同期信号）が入力される。Ｈ方向カウンタ１６ｂ−２はＨＳＹＮＣをカウントし、Ｖ方向カウンタ１６ｂ−４はＶＳＹＮＣをカウントすることで水平、垂直位置を検出する。水平、垂直位置はそれぞれＨ方向制御レジスタ１６ｂ−１及びＶ方向制御レジスタ１６ｂ−３により制御され、Ｈ方向制御レジスタ１６ｂ−１及びＶ方向制御レジスタ１６ｂ−３はそれぞれコマンド入力により所望の水平、垂直位置となるようにカウンタを制御する。Ｈ方向カウンタ１６ｂ−２からの水平位置データ及びＶ方向カウンタ１６ｂ−４からの垂直位置データはアドレス制御回路１６ｂ−８に供給される。一方、ＲＡＭ、ＲＯＭ読み出し書き込み制御回路１６ｂ−５は、入力されたコマンドに応じてＲＡＭやＲＯＭの読み出し、書き込みを制御する。
【００２３】
ＶＲＡＭ１６ｂ−９は、文字やパターンの色を指定するデータを記憶するもので、入力コマンドに応じて指定色データが書き込まれる。入力コマンドは例えば２バイト構成であり、上位の１バイトで制御の種類を規定し、下位の１バイトでデータの内容を規定する。文字の色は下位１バイトを構成する８ビットの中の４ビットで指定される。ＶＲＡＭ１６ｂ−９にデータを書き込む際には、アドレス制御回路１６ｂ−８で設定されたアドレスに「００００」〜「１１１１」の４ビットデータを書き込む。ＶＲＡＭ１６ｂ−９から読み出された４ビットデータ（文字色指定信号）は出力制御回路１６ｂ−１２に供給される。
【００２４】
一方、ＦＲＯＭ１６ｂ−１１は、文字やパターンの形、いわゆるキャラクタコードを記憶するもので、例えば５１２種類の文字及びパターンを記憶する。所望の文字あるいはパターンを表示する際には、コマンドの下位１バイトでキャラクタコードを指定する。読み出されたデータは出力制御回路１６ｂ−１２に供給される。ＦＲＯＭ１６ｂ−１１以外にさらにＲＯＭを外付けし、より多くの文字あるいはパターンを表示できるように構成してもよい。
【００２５】
文字サイズ制御回路１６ｂ−６は、タイミングジェネレータ１６ｂ−７からのタイミング信号を用いて入力コマンドで指定された文字サイズとなるようにサイズ制御信号を出力制御回路１６ｂ−１２に供給する。
【００２６】
出力制御回路１６ｂ−１２は、複数（本実施形態では２個）のカラーテーブルを備え、これらのカラーテーブルを用いてＦＲＯＭ１６ｂ−１１で指定された文字やパターンの色、すなわちＲ信号、Ｇ信号、Ｂ信号を生成する。Ｒ信号、Ｇ信号、Ｂ信号はＬＣＤパネル２０の各ドット毎に生成される。出力制御回路１６ｂ−１２からのＲ信号、Ｇ信号、Ｂ信号は適宜デジタルアナログコンバータＤ／Ａ１６ｂ−１３によりアナログ信号に変換されて出力される。図において、ＲＤ、ＧＤ、ＢＤはデジタルＲ信号、デジタルＧ信号、デジタルＢ信号を示しており、ＲＯＵＴ、ＧＯＵＴ、ＢＯＵＴはアナログＲ信号、アナログＧ信号、アナログＢ信号を示している。
【００２７】
図３には、図２における出力制御回路１６ｂ−１２の構成ブロック図が示されている。出力制御回路１６ｂ−１２は、２個のカラーテーブル１７ａ、１７ｂ及びセレクタ１７ｃを有して構成される。カラーテーブル１７ａ、１７ｂはそれぞれ「００００」〜「１１１１」の１６個のアドレス毎にＲ信号、Ｇ信号、Ｂ信号を規定するテーブルであり、カラーテーブル１７ａ、１７ｂはそれぞれ異なる１６色を規定して合計３２色を規定する。図４には、カラーテーブル１７ａが模式的に示されている。アドレス「００００」に対応してＲ信号「ＸＸＸ」、Ｇ信号「ＸＸＸ」、Ｂ信号「ＸＸＸ」がそれぞれ３ビットで規定される。１６色の１色を透明色とすることもできる。カラーテーブル１７ｂについても同様であり、１６個のアドレスのそれぞれに色データが規定される。カラーテーブル１７ａで規定する１６色とカラーテーブル１７ｂで規定する１６色は、色相あるいは明度の観点から分離してもよい。例えばカラーテーブル１７ａでは明度の低い（暗い）色を規定し、カラーテーブル１７ｂでは明度の大きい（明るい）色を規定する等である。カラーテーブル１７ａ、１７ｂは、具体的にはＦＦで構成される。
【００２８】
ＶＲＡＭ１６ｂ−９からの４ビットデータはカラーテーブル１７ａ、１７ｂに供給される。カラーテーブル１７ａ、１７ｂはそれぞれ４ビットデータで特定されるアドレスに対応するＲ信号、Ｇ信号、Ｂ信号をセレクタ１７ｃに出力する。
【００２９】
セレクタ１７ｃは、ＶＲＡＭ１６ｂ−９から供給された選択信号を入力し、選択信号に応じてカラーテーブル１７ａ、１７ｂの出力のいずれかを選択して出力する。選択信号は入力コマンドの下位１バイトの中の１ビットで指定されてＶＲＡＭ１６ｂ−９に記憶されて出力制御回路１６ｂ−１２に供給されるもので、例えば「０」の場合にはカラーテーブル１７ａが選択され、「１」の場合にはカラーテーブル１７ｂが選択されるように規定される。
【００３０】
ＯＳＤ処理部１６ｂは以上のような構成であり、いま、ＴＶ画面が表示されているＬＣＤパネル２０の所定位置に文字を「青」で表示する場合を想定する。なお、青に相当する色指定データは「０００１」であると仮定する。
【００３１】
文字を表示する水平位置及び垂直位置がＨ方向制御レジスタ１６ｂ−１、Ｈ方向カウンタ１６ｂ−２、Ｖ方向制御レジスタ１６ｂ−３、Ｖ方向カウンタ１６ｂ−４で決定され、入力コマンドに応じてＶＲＡＭ１６ｂ−９に「００００１」のデータが書き込まれる。「００００１」の第４位ビットの「０」はカラーテーブル１７ａを指定するビットであり、ＬＳＢ〜第３位ビットまでの４ビット「０００１」は色（この例では青）を指定するビットである。書き込まれた「０００１」のデータ、すなわち４ビットの色指定信号はＶＲＡＭ１６ｂ−９から読み出されて出力制御回路１６ｂ−１２のカラーテーブル１７ａ、１７ｂに供給される。また、第４位のビット「０」、すなわち選択信号は出力制御回路１６ｂ−１２のセレクタ１７ｃに供給される。
【００３２】
ＶＲＡＭ１６ｂ−９からの「０００１」データを入力したカラーテーブル１７ａでは、「０００１」に対応するＲ信号「０００」、Ｇ信号「０００」、Ｂ信号「１１１」をセレクタ１７ｃに出力する。一方、「０００１」データを入力したカラーテーブル１７ｂでは、「０００１」に対応するＲ信号「００１」、Ｇ信号「００１」、Ｂ信号「００１」をセレクタ１７ｃに出力する。セレクタ１７ｃは、ＶＲＡＭ１６ｂ−９からの選択信号「０」に応じてカラーテーブル１７ａを選択し、カラーテーブル１７ａからのＲ信号「０００」、Ｇ信号「０００」、Ｂ信号「１１１」をＬＣＤコントローラ１８に出力する。文字を構成する１２ドット×１８ドットの各ドットにおいて、セレクタ１７ｃの選択は選択信号にかかわらずカラーテーブル１７ａ側に固定される。以上のようにして、所定位置に表示される文字の色が青となる。
【００３３】
ＴＶ画面が表示されているＬＣＤパネル２０の所定位置にパターンを白で表示する場合も同様である。なお、白に相当するアドレスを仮に「１１１１」であるものとする。
【００３４】
パターンを表示する水平位置及び垂直位置がＨ方向制御レジスタ１６ｂ−１、Ｈ方向カウンタ１６ｂ−２、Ｖ方向制御レジスタ１６ｂ−３、Ｖ方向カウンタ１６ｂ−４で決定され、ＶＲＡＭ１６ｂ−９に「０１１１１」のデータが書き込まれる。書き込まれた「１１１１」のデータ、すなわち４ビットの色指定信号は出力制御回路１６ｂ−１２のカラーテーブル１７ａ、１７ｂに供給される。また、第４位の「０」、すなわち選択信号は出力制御回路１６ｂ−１２のセレクタ１７ｃに供給される。
【００３５】
ＶＲＡＭ１６ｂ−９からの「１１１１」データを入力したカラーテーブル１７ａでは、「１１１１」に対応するＲ信号「１１１」、Ｇ信号「１１１」、Ｂ信号「１１１」をセレクタ１７ｃに出力する。一方、「１１１１」データを入力したカラーテーブル１７ｂでは、「１１１１」に対応するＲ信号「００１」、Ｇ信号「０００」、Ｂ信号「００１」をセレクタ１７ｃに出力する。セレクタ１７ｃは、ＶＲＡＭ１６ｂ−９からの選択信号「０」に応じてカラーテーブル１７ａを選択し、カラーテーブル１７ａからのＲ信号「１１１」、Ｇ信号「１１１」、Ｂ信号「１１１」を選択してＬＣＤコントローラ１８に出力する。パターンを構成する１２ドット×１８ドットの各ドットにおいて、セレクタ１７ｃの選択はカラーテーブル１７ａ側に固定される。以上のようにして、所定位置に表示されるパターンの色が白となる。
【００３６】
このように、セレクタ１７ｃにおけるカラーテーブル１７ａ、１７ｂの選択は、文字あるいはパターンの表示単位である１２ドット×１８ドットを単位として行われる。ある文字を表示する際にカラーテーブル１７ａを選択し、別の文字を表示する際にカラーテーブル１７ｂを選択することで、合計３２色で文字を表示できる。パターンについても同様であり、あるパターンを表示する際にカラーテーブル１７ａを選択し、別のパターンを表示する際にカラーテーブル１７ｂを選択することで、合計３２色でパターンを表示できる。
【００３７】
本実施形態では、ＶＲＡＭ１６ｂ−９から４ビットの色指定信号と１ビットの選択信号を出力制御回路１６ｂ−１２に供給しているため、４ビットの色指定信号のみを供給する場合に比べてビット数は増大する。しかしながら、選択信号はＬＣＤパネル２０の各ドット（４８０×２３４）毎に供給する必要はなく、文字あるいはパターンの表示単位である１２ドット×１８ドット毎、すなわち４０文字×１３行＝５２０文字毎に供給すればよい。また、カラーテーブルを１個から２個に増加する場合の増加ビット数は、１６色×（Ｒ３ビット＋Ｇ３ビット＋Ｂ３ビット）＝１４４ビットであり、両者を併せてもビット数の増大を低く抑えることができる。
【００３８】
また、本実施形態では、ＬＣＤパネル２０にＴＶ画面を表示し、さらにＴＶ画面上に文字あるいはパターンを重畳表示しているが、より多様な表示も可能である。
【００３９】
例えば、図５に示されるように、ＬＣＤパネル２０に表示される画面を複数レイヤー構成とし、画面背景色、サブ画面、メイン画面を互いに重ね合わせて表示することもできる。ＴＶ画面上に文字あるいはパターンを表示する場合、画面背景色あるいはサブ画面上にＴＶ画面を表示し、メイン画面に文字あるいはパターンを表示して重畳する。あるいは、画面背景色をカラーテーブル１７ａ、１７ｂを用いて３２色の中の１色とし、メイン画面に文字あるいはパターンを表示してもよい。
【００４０】
また、文字を表示する場合、所定サイズの文字表示単位を文字領域と文字以外領域とに分け、それぞれの色をカラーテーブル１７ａあるいは１７ｂを用いて１６色の中から選択してもよい。
【００４１】
図６には、文字が表示されるメイン画面が示されている。メイン画面は既述したように４０文字×１３行から構成され、１文字は１２ドット×１８ドットを単位として表示される。この単位領域のうち、文字が表示される領域１００と文字以外の領域１０２とに分割し、文字表示領域１００についてカラーテーブル１７ａを使用して１６色の中の１色とし、文字以外領域１０２についてカラーテーブル１７ａの他の色を設定することもできる。指定は、例えば入力コマンドの下位１バイトのＬＳＢ〜第３位の合計４ビットで文字領域の色を指定し、第４位〜第７位の合計４ビットで文字以外領域の色を指定する。この場合、色指定で８ビットを使用するため、カラーテーブル１７ａ、１７ｂを選択するための選択信号を含めることができないが、コマンドの上位１バイトのＬＳＢ等を選択信号用のビットに援用することで、文字領域１００と文字以外領域１０２とで異なるカラーテーブルを選択できるように構成してもよい。
【００４２】
本実施形態では、２個のカラーテーブル１７ａ、１７ｂを用いて３２色を実現しているが、カラーテーブル１７ａ、１７ｂの機能あるいは用途を分離してもよい。例えば、カラーテーブル１７ａを文字領域１００及び文字以外領域１０２専用とし、カラーテーブル１７ｂを背景色専用とする等である。カラーテーブル１７ｂとして、背景色として使用される頻度の比較的高い色相あるいは明度の色を設定しておくことで、１６色でもユーザの要求に応える色を表示できる。ＴＶ画面上に文字を重畳表示する場合、文字以外領域１０２については透明色としてもよい。
【００４３】
また、本実施形態では、出力制御回路１６ｂ−１２に２個のカラーテーブル１７ａ、１７ｂを設けたが、必要に応じて３個あるいはそれ以上を設けることも可能である。各カラーテーブルで規定する１６色を全て異なる色とすることで、１６×ｍ色（ｍはカラーテーブルの個数）を得ることができる。
【００４４】
さらに、本実施形態では、携帯電話機を例にとり説明したが、ＰＤＡなどの任意の携帯端末装置に適用可能である。
【図面の簡単な説明】
【００４５】
【図１】携帯電話機の全体構成図である。
【図２】ＯＳＤ（オンスクリーンディスプレイ）処理部の構成ブロック図である。
【図３】出力制御部の構成ブロック図である。
【図４】カラーテーブルの説明図である。
【図５】多層レイヤー構成説明図である。
【図６】メイン画面説明図である。
【図７】従来の色生成回路の構成図である。
【符号の説明】
【００４６】
１０  ＴＶアンテナ、１２  チューナモジュール、１４  ＲＧＢデコーダ、１６  ＬＳＩ処理チップ、１８  ＬＣＤコントローラ、２０  ＬＣＤパネル。
【図１】
2005077629.tif 000003
【図２】
2005077629.tif 000004
【図３】
2005077629.tif 000005
【図４】
2005077629.tif 000006
【図５】
2005077629.tif 000007
【図６】
2005077629.tif 000008
【図７】
2005077629.tif 000009